【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
外装部材と、
前記外装部材に覆われる内部構造部材と、
外部機器と接続可能な第１の外部接続コネクタと、
第１の面に前記第１の外部接続コネクタが実装され、前記第１の面に前記第１の外部接続コネクタの信号パターンが形成され、前記第１の面の裏面である第２の面にはグラウンドパターンが形成される第１のプリント基板と、
外部機器と接続可能な第２の外部接続コネクタと、
第１の面に前記第２の外部接続コネクタが実装され、前記第１の面に前記第２の外部接続コネクタの信号パターンが形成され、前記第１の面の裏面である第２の面にはグラウンドパターンが形成される第２のプリント基板とを有し、
前記第１のプリント基板の前記第２の面と前記第２のプリント基板の前記第２の面とが向かい合うように、前記第１の外部接続コネクタと前記第２の外部接続コネクタとを重ねて、前記外装部材と前記内部構造部材とによって囲まれる空間に配置することを特徴とする電子機器。
【請求項２】
前記第１の外部接続コネクタは、前記第２の外部接続コネクタに重ねられる面とは反対側の面で前記外装部材に当接し、
前記第２の外部接続コネクタは、前記第１の外部接続コネクタに重ねられる面とは反対側の面で前記内部構造部材に当接することを特徴とする請求項１に記載の電子機器。
【請求項３】
前記第１のプリント基板の前記第１の外部接続コネクタが実装される部分および前記第２のプリント基板の前記第２の外部接続コネクタが実装される部分には補強板が形成され、
前記空間内で前記第１のプリント基板の補強板と前記第２のプリント基板の補強板とを重ね合わせることを特徴とする請求項１または２に記載の電子機器。
【請求項４】
前記電子機器は前記第１のプリント基板および前記第２のプリント基板がそれぞれ接続される回路基板を備え、前記第１のプリント基板の前記第２の面と前記第２のプリント基板の前記第２の面とが向かい合った状態で、前記第１のプリント基板および前記第２のプリント基板が前記回路基板にそれぞれ接続されることを特徴とする請求項１ないし３のいずれか１項に記載の電子機器。
【請求項５】
前記内部構造部材は電池収納室を形成する部材であることを特徴とする請求項１ないし４のいずれか１項に記載の電子機器。
【請求項６】
前記外装部材は操作ボタンが配置される外装部材であることを特徴とする請求項１ないし５のいずれか１項に記載の電子機器。
【請求項７】
外装部材と、
前記外装部材に覆われる内部構造部材と、
外部機器と接続可能な第１の外部接続コネクタと、
外部機器と接続可能な第２の外部接続コネクタと、
第１の面に前記第１の外部接続コネクタおよび前記第２の外部接続コネクタが実装され、前記第１の面に前記第１の外部接続コネクタの信号パターンおよび前記第２の外部接続コネクタの信号パターンが形成され、前記第１の面の裏面である第２の面にはグラウンドパターンが形成されるプリント基板とを有し、
前記プリント基板の前記第１の面が外側になり、前記第２の面が内側になるように折り曲げられ、
前記第１の外部接続コネクタと前記第２の外部接続コネクタとを重ねて、前記外装部材と前記内部構造部材とによって囲まれる空間に配置することを特徴とする電子機器。
【手続補正２】
【補正対象書類名】明細書
【補正対象項目名】００３１
【補正方法】変更
【補正の内容】
【００３１】
トップＦＰＣ１３５のＨＤＭＩコネクタ１４４実装部は、トッププレート１３６に対しては位置決めされない。図６に示すように、ＨＤＭＩコネクタ１４４をトップカバー１３２のＨＤＭＩコネクタ保持部に挿入する。そして、トップＦＰＣ１３５のＨＤＭＩコネクタ１４４実装部裏面に貼り付けられた補強板１４５側からトッププレート１３６で抑えられつつビス１４６によって固定される。さらに、ＨＤＭＩコネクタ１４４取り付け部分にはコネクタの挿入口に対して逆側にＨＤＭＩコネクタホルダ１４７が取り付けられる。トッププレート１３６のＨＤＭＩコネクタ保持部には、コネクタ挿入口に対応した位置にＨＤＭＩコネクタ開口部１４８が形成されている。
【手続補正３】
【補正対象書類名】明細書
【補正対象項目名】００３８
【補正方法】変更
【補正の内容】
【００３８】
ＨＤＭＩ差動信号パターン１５４は所定の差動インピーダンス仕様を満たすようにインピーダンスのマッチングを行っておく必要がある。そこで本実施形態では、裏面に対向するグラウンドパターン１５５の形状によりＨＤＭＩ差動信号パターン１５４の差動インピーダンスをコントロールしている。ＨＤＭＩ差動信号パターン１５４はＨＤＭＩコネクタ１４４の信号端子実装面側ではんだ付けランドから直接配線されており、トップＦＰＣ１３５上のＨＤＭＩ差動信号パターン１５４の大部分は表面（第１の面）に配線されている。
【手続補正４】
【補正対象書類名】明細書
【補正対象項目名】００４１
【補正方法】変更
【補正の内容】
【００４１】
ＨＤＭＩコネクタ１４４と同様に、ＵＳＢ／ＡＶ複合コネクタ１２８は、相手側コネクタが差し込まれた状態で、相手側コネクタから押し込み、こじり、引き抜きの力がかかる可能性がある。ジャックＦＰＣ１２９のＵＳＢ／ＡＶ複合コネクタ実装部が固定された状態で、ＵＳＢ／ＡＶ複合コネクタ１２８に過度の荷重がかかってしまうとはんだ付け部の剥離やコネクタ破壊が発生する危険性があるため、コネクタにかかる荷重を適切に受ける必要がある。ここで、ＵＳＢ／ＡＶ複合コネクタ１２８にかかる押し込み、こじり、引き抜きに対する荷重の受け方について説明する。
【手続補正５】
【補正対象書類名】明細書
【補正対象項目名】００４６
【補正方法】変更
【補正の内容】
【００４６】
ここで、ジャックＦＰＣ１２９のパターンについて図１０により説明を行う。ジャックＦＰＣ１２９は両面フレキシブルプリント基板である。ジャックＦＰＣ１２９にはＵＳＢ／ＡＶ複合コネクタ１２８と、主基板１１４と接続する為のコネクタ１６７がリフロー実装されている。ジャックＦＰＣ１２９の表面（第１の面）にはＵＳＢ／ＡＶ複合コネクタ１２８とコネクタ１６７とを接続する配線パターンが形成されている。配線パターンはＵＳＢ差動信号パターン１６８を有しており、その基板裏面（第２の面）にはグラウンドパターン１６９が形成されている。グラウンドパターン１６９はＵＳＢ差動信号パターン１６８の裏面を覆うように形成されている。ＵＳＢ差動信号パターン１６８は所定の差動インピーダンス仕様を満たすようにインピーダンスのマッチングを行っておく必要がある。そこで、裏面に形成したグラウンドパターン１６９の形状によりＵＳＢ差動信号パターン１６８の差動インピーダンスをコントロールしている。ＵＳＢ差動信号パターン１６８はＵＳＢ／ＡＶ複合コネクタ１２８の信号端子実装面側ではんだ付けランドから直接配線されており、ジャックＦＰＣ１２９上の全てのＵＳＢ差動信号パターン１６８は表面（第１の面）に配線されている。
【手続補正６】
【補正対象書類名】明細書
【補正対象項目名】００４８
【補正方法】変更
【補正の内容】
【００４８】
この状態で、メインシャーシ１１７に対して、鏡筒ユニット１１２、ストロボユニット１１３、液晶ユニット１１８を取り付けて、図１２に示すようなメインアセンブリユニット１７０となる。そして、メインアセンブリユニット１７０に対して、リヤカバーユニット１１９を組み付ける。同時にリヤカバーユニット１１９から腕状に伸びたトップＦＰＣ１３５に実装されたコネクタと、主基板１１４上に実装された相手コネクタとを接続して、図１１のような状態となる。この状態で、ＨＤＭＩコネクタ１４４とＵＳＢ／ＡＶ複合コネクタ１２８は、それぞれのコネクタ実装部に設けられた補強板１４５および１６０を互いに重ね合わせる。そして、トップカバーに形成されたＨＤＭＩコネクタ開口部１４８に隣接して設けられた開口部から、ＵＳＢ／ＡＶ複合コネクタ１２８の挿入口が露呈するようになる。